(57)【要約】【課題】本発明の目的は、浴室洗い場床面に複数の床台を敷設し、浴室洗い場床面と出入り口との段差を解消する床台ユニットにおいて、特に汚れやすい脚部の掃除が簡単にできる床台を提供することにある。【解決手段】本発明では、床高さを所定の高さに嵩上げするために室内に敷き詰める高さ調整可能な脚部を複数個有する平面視形状が方形の床台において、前記脚部が軸方向床面に向かって先細りの形状であり、かつ側面が平滑であることを特徴とする。【選択図】  図２
2004238887.tif 000002
【特許請求の範囲】
【請求項１】
床高さを所定の高さに嵩上げするために室内に敷き詰める高さ調整可能な脚部を複数個有する床台において、前記脚部が軸方向床面に向かって先細りの形状であり、かつ側面が平滑であることを特徴とする床台。
【請求項２】
前記床台は床板と脚部からなり、床板の脚部取り付け位置の下面に円筒状の穴部を設け、前記穴部の中央に床板の下面まで伸びたねじ軸部が設けられ、脚部は先細りの円柱状であり上端部には前記ねじ軸部に螺合されるねじ穴部を設けたことを特徴とする請求項１に記載の床台。
【請求項３】
前記床台は床板と脚部からなり、床板の脚部取り付け位置には貫通したねじ穴が設けられ、床板下面の前記ねじ穴の外周に環状溝が施され、脚部は上端部に前記ねじ穴に螺合されるねじ軸部を有し、さらに脚部はねじ軸部外周を覆う円筒状の壁を有し、前記壁が前記板材の環状溝に入出自在に前記ねじ軸部が前記ねじ穴と螺合することを特徴とする請求項１に記載の床台。
【発明の詳細な説明】
【０００１】
【発明の属する技術分野】
本発明は、室内に複数の床台を敷設し、床高さを所定の高さに嵩上げする床台ユニットに関するもので、特に浴室洗い場床面と出入り口との段差を解消するために洗い場床面に設置する床台に関する。
【０００２】
【従来の技術】
従来の浴室洗い場床面に複数の床台を敷設し、浴室洗い場床面と出入り口との段差を解消する床台ユニットでは、洗い場床面の水勾配や不陸に対応するため、床台の任意位置に高さ調整可能な脚部を取り付け、それぞれの位置で高さ調整を行うことで床台の安定性を図るものが多い。その高さ調整用の脚部は、床面に載置する台座を備えた脚体と床台下面に取り付けられた脚取り付け具のうちの一方にねじ穴、他方にそのねじ穴に螺入出自在に螺合されるねじ軸部が設けられており、螺入出量によって高さ調整を行う床台がある（例えば、特許文献１参照。）。
また、床台下面に取り付けたナット部と床面に載置される下端キャップを有する脚用調節ボルトを螺合させ、高さ調節を行う床台もある。（例えば、特許文献２参照。）。
【０００３】
【特許文献１】
特開平７−２７９４５２号公報（第５頁、第４図）
【特許文献２】
特開平７−２８６４２９号公報（第２０頁、第５図）
【０００４】
【発明が解決しようとする課題】
従来の床面に載置する台座を備えた脚体と床台下面に取り付けられた脚取り付け具のうちの一方にねじ孔、他方にそのねじ穴に螺入出自在にねじ合わされるねじ軸部が設けられており、螺入出量によって高さ調整を行う床台では、床台の掃除で脚体に絡みついた髪の毛を取り外すには、髪の毛のもつれを全て解いてから取り外す、もしくは台座の大きさまで髪の毛を解いて脚体の端部にずらし台座から抜き取ることになり、髪の毛を解く手間と時間がかかる。さらに、脚体にねじ軸部が設けられた場合は、ねじ部の凹部に汚れがつきやすく、汚れを落とすにはブラシで擦り取るなど非常に面倒な作業となり、床台の掃除に手間と時間がかかる。
【０００５】
また、床台下面に取り付けたナット部と床面に載置される下端キャップを有する脚用調節ボルトを螺合させ、高さ調節を行う床台においても、上記同様、床台の掃除には、脚部に絡んだ髪の毛を解いて取り外したり、ねじ部の凹部の汚れを落とす作業に手間と時間がかかる。
【０００６】
本発明は、上記問題を解決するためになされたもので、本発明の目的は、浴室洗い場床面に複数の床台を敷設し、浴室洗い場床面と出入り口との段差を解消する床台ユニットにおいて、特に汚れやすい脚部の掃除が簡単にできる床台を提供することにある。
【０００７】
【課題を解決するための手段】
上記目的を達成するために請求項１は、床高さを所定の高さに嵩上げするために室内に敷き詰める高さ調整可能な脚部を複数個有する平面視形状が方形の床台において、前記脚部が軸方向床面に向かって先細りの形状であり、かつ側面が平滑であることを特徴とする。
【０００８】
本発明において、脚部に髪の毛が絡んだ時でも、脚部端部の方向に髪の毛をずらすことにより、脚部が先細り形状のため簡単に髪の毛を脚部から抜き取ることが可能となり、側面を平滑にすることにより汚れにくく、また汚れた場合でも汚れを落し易く、脚部の掃除に手間がかからない床台となる。
【０００９】
請求項２の発明は、前記床台は床板と脚部からなり、床板の脚部取り付け位置の下面に円筒状の穴部を設け、前記穴部の中央に床板の下面まで伸びたねじ軸部が設けられ、脚部は先細りの円柱状であり、上端部には前記ねじ軸部に螺合されるねじ穴部を設けたことを特徴とする。
【００１０】
本発明によって、板材のねじ軸部と脚部のねじ穴部の螺入出量によって床台の高さ調整を行う構造の脚部で、脚部にねじ穴を設けたことで側面が平滑となり、、ねじ軸部の下端を床板の下面に合わせたことで汚れやすいねじ軸部が露出せず、さらに脚部を先細りの円柱状にすることで脚部に絡んだ髪の毛を抜き取り易い脚部形状となり、脚部の掃除に手間がかからない床台が可能となる。
【００１１】
請求項３の発明は、  前記床台は床板と脚部からなり、床板の脚部取り付け位置には貫通したねじ穴が設けられ、床板下面の前記ねじ穴の外周に環状溝が施され、脚部は上端部に前記ねじ穴に螺合されるねじ軸部を有し、さらに脚部はねじ軸部外周を覆う円筒状の壁を有し、前記壁が前記板材の環状溝に入出自在に前記ねじ軸部が前記ねじ穴と螺合することを特徴とする。
【００１２】
本発明によって、板材のねじ穴部と脚部のねじ軸部の螺入出量によって床台のの高さ調整を行う構造の脚部で、ねじ軸部の外周を覆う円筒状の壁が板材の環状溝に入出することで汚れやすいねじ軸部が露出せず、脚部の掃除に手間がかからない床台が可能となる。
【００１３】
【発明の実施の形態】
以下、本発明の実施形態の例を説明する。図１は、第一実施例の床台ユニットの脚部を示す斜視図であり、図２は床台脚部を分解して構成を示す斜視図である。床台２４は平面視形状が方形の表面材１と同じく平面視形状が方形の板材２と、脚取り付け材７と脚体３によって構成される。脚体３は、高さ調整材４とゴム座６を有する脚材５によって構成される。
【００１４】
脚取り付け材７は平面視形状が方形で厚さが薄い取り付け部８とねじ軸部９を有する。ねじ軸部９の長さは板材２の厚さから取り付け部８の厚さを引いた長さとする。板材２の任意位置にある脚部取り付け部１０の上面には、平面視形状が取り付け部８と同じ形状の切り欠き部１１、および前記切り欠き部１１の下方に内径が脚取り付け材７のネジ軸部９の軸径より大きな円形の貫通穴部１２を有する。貫通穴部１２の切り欠き部１１の深さは取り付け部８の厚みと同じであり、貫通穴部１２に脚取り付け材７のネジ軸部９を挿入し、切り欠き部１１に脚取り付け材７の取り付部８を合わせて接着またはねじを用いて取り付け、板材２に脚取り付け材７を固定する。板材２に取付られた脚取り付材７の上面は、板材２の上面と同一面上であり、脚取り付材７のねじ軸部９の下端は板材２の下面と同一面上となる。
【００１５】
図３は床台２４のＴ−Ｔ’断面図である。高さ調整材４は円筒状の部材で、外径は板材２の貫通穴部１２の内径と同じである。高さ調整材４は上端に脚取り付け材７のねじ軸部９に螺合されるねじ穴部１３と、下端に脚材５を取り付けるねじ穴部１４を有する。高さ調整材４は脚取り付け材７と螺入出自在であり、同時に板材２の貫通穴部１２にすき間なく入出する。また、高さ調整材４と脚取り付け材７の螺入出量により床台２４の高さ調整を行う。
【００１６】
脚材５は、下方に向かい先細りの円柱状であり、上面の外径は高さ調整材４の外径と同じとする。また、脚材５の上面には高さ調整材４のねじ穴部１４に螺合されるねじ軸部１５を有し、下部には半球状のゴム座６を有する。ねじ軸部１５の高さは高さ調整材４のねじ穴部１４の深さと同一とし、脚材５は高さ調整材４にすき間なく取り付けられ、側面に凹凸がない一体の脚体３を形成する。
【００１７】
上記のような構成により、高さ調整が可能で、ねじ軸部が露出せず、さらに側面が平滑な脚部が可能となり、汚れにくく、また汚れた場合も洗い落とし易い脚部となる。また、先細りの円柱状にすることにより、脚部に絡みついた髪の毛も脚部端部にずらし簡単に抜き取ることが可能になり、汚れやすい床台脚部の掃除の手間が軽減される。
【００１８】
図４は、第二実施例の床台ユニットの脚部を示す斜視図であり、図５は床台脚部を分解して構成を示す斜視図である。床台２５は平面視形状が方形の表面材１と同じく平面視形状が方形の板材１６と脚体１７によって構成される。脚体１７は、高さ調整材１８とゴム座６を有する脚材５によって構成される。
【００１９】
図６は床材２５のＴ’’−Ｔ’’’断面図である。板材１６の任意位置にある脚部取り付け部１０には貫通のねじ穴部１９を有し、さらに板材１６の下面にはねじ穴部１９の外周を覆う環状溝部２０を有する。
【００２０】
高さ調整材１８は、板材１６のねじ穴部１９に螺合されるねじ軸部２１と、壁部２２、および下端に脚材５を螺合させるねじ穴部２３を有する。壁部２２は平面視形状が板材１６の環状溝部２０と同じである円筒形状であり、ネジ軸部２１の外周を覆う。高さ調整材１８のネジ軸部２１は板材１６のねじ穴部１９に螺入出自在であり、同時に壁部２２が板材１６の環状溝部２０にすき間なく入出されて、ねじ軸部２１は露出しない。なお、床台２５の高さ調整は高さ調整材１８のネジ軸部２１は板材１６のねじ穴部１９との螺入出量により行う。脚材５の形状および高さ調整材１８への取り付け構造は、第一実施例と同様であり、脚材５の上面と高さ調整材１８の下面の形状を合わせることにより、すき間なく側面に凹凸がない一体の脚体１７を形成する。
【００２１】
上記のような構成により、高さ調整が可能で、ねじ軸部が露出せず、さらに側面が平滑な脚部が可能となり、汚れにくく、また汚れた場合も洗い落とし易い脚部となる。また、先細りの円柱状にすることにより、脚部に絡みついた髪の毛も脚部端部にずらし簡単に抜き取ることが可能になり、汚れやすい床台脚部の掃除の手間が軽減される。
【００２２】
【発明の効果】
本発明によれば、浴室洗い場床面に複数の床台を敷設し、浴室洗い場床面と出入り口との段差を解消する床台ユニットにおいて、特に汚れやすい脚部の掃除が簡単にできる床台を提供することが可能となる。
【図面の簡単な説明】
【図１】本発明の第一実施例の床台ユニットの脚部を示す斜視図である。
【図２】本発明の床台脚部を分解して構成を示す斜視図である。
【図３】本発明の床台のＴ−Ｔ’断面を示す断面図である。
【図４】本発明の第二実施例の床台ユニットの脚部を示す斜視図である。
【図５】本発明の床台脚部を分解して構成を示す斜視図である。
【図６】本発明の床台のＴ’’−Ｔ’’’断面を示す断面図である。
【符号の説明】
１…表面材
２…板材
３…脚体
４…高さ調整材
５…脚材
６…ゴム座
７…脚取り付け材
８…取り付部
９…ねじ軸部
１０…脚部取り付け部
１１…切り欠き部
１２…貫通穴部
１３…ねじ穴部
１４…ねじ穴部
１５…ねじ軸部
１６…板材
１７…脚体
１８…高さ調整材
１９…ねじ穴部
２０…環状溝部
２１…ねじ軸部
２２…壁部
２３…ねじ穴部
２４…床台
２５…床台
【図１】
2004238887.tif 000003
【図２】
2004238887.tif 000004
【図３】
2004238887.tif 000005
【図４】
2004238887.tif 000006
【図５】
2004238887.tif 000007
【図６】
2004238887.tif 000008